Podtech/llm-jp-corpus-v4-ja_patent huggingface dataset:
【手続補正書】
【提出日】平成28年10月14日(2016.10.14)
【手続補正１】
【補正対象書類名】特許請求の範囲
【補正対象項目名】全文
【補正方法】変更
【補正の内容】
【特許請求の範囲】
【請求項１】
基板を水平状態で支持するテーブルと、
このテーブルを水平面内で回転させる回転機構と、
回転している前記基板の表面に処理液を供給する処理液供給部と、
前記処理液が供給され回転している前記基板の表面に揮発性溶媒を供給する溶媒供給部と、
前記揮発性溶媒が供給され回転している前記基板の表面に気層を生じさせて前記揮発性溶媒を液玉化させるように前記基板を加熱する加熱部と、
制御部とを有し、
前記制御部は、前記処理液供給部による前記基板への前記処理液の供給が終了する前から、前記溶媒供給部による前記基板への前記揮発性溶媒の供給が開始されるように前記溶媒供給部を制御することを特徴とする基板処理装置。
【請求項２】
前記処理液は純水で、前記揮発性溶媒はＩＰＡであることを特徴とする請求項１記載の基板処理装置。
【請求項３】
前記基板の表面に対して不活性ガスを供給するガス供給部を有し、
前記制御部は、前記溶媒供給部による前記揮発性溶媒の供給が開始される前に、前記ガス供給部による前記不活性ガスの供給が開始されるように前記ガス供給部を制御することを特徴とする請求項１または請求項２に記載の基板処理装置。
【請求項４】
前記加熱部を前記基板の表面に対して上下方向に移動させる移動機構をさらに備えることを特徴とする請求項１乃至請求項３のいずれか一項に記載の基板処理装置。
【請求項５】
前記加熱部を前記基板の表面に沿って移動させる移動機構をさらに備えることを特徴とする請求項１乃至請求項３のいずれか一項に記載の基板処理装置。
【請求項６】
前記加熱部は、前記揮発性溶媒が供給された前記基板に対して電磁波を照射する照射部であることを特徴とする請求項１乃至請求項５のいずれか一項に記載の基板処理装置。
【請求項７】
前記制御部は、前記溶媒供給部による前記揮発性溶媒の供給中に、前記加熱部に前記基板に対する加熱を実行させることを特徴とする請求項１乃至請求項６のいずれか一項に記載の基板処理装置。
【請求項８】
前記制御部は、前記溶媒供給部による前記揮発性溶媒の供給後に、前記加熱部に前記基板に対する加熱を実行させることを特徴とする請求項１乃至請求項６のいずれか一項に記載の基板処理装置。
【請求項９】
水平面内で回転している基板の表面に処理液を供給する工程と、
前記処理液が供給され回転している前記基板の表面に揮発性溶媒を供給する工程と、
前記揮発性溶媒が供給され回転している前記基板の表面に気層を生じさせて前記揮発性溶媒を液玉化させるように前記基板を加熱する工程と、
を有し、
前記揮発性溶媒を供給する工程では、前記処理液を供給する工程が終了する前から、前記基板への前記揮発性溶媒の供給が開始されることを特徴とする基板処理方法。
【請求項１０】
前記基板を加熱する工程では、前記揮発性溶媒が供給された前記基板に対して電磁波を照射することを特徴とする請求項９に記載の基板処理方法。
【請求項１１】
前記基板を加熱する工程では、前記揮発性溶媒の供給中に、前記基板を加熱することを特徴とする請求項９または請求項１０に記載の基板処理方法。
【請求項１２】
前記基板を加熱する工程では、前記揮発性溶媒の供給後に、前記基板を加熱することを特徴とする請求項９または請求項１０に記載の基板処理方法。
【手続補正２】
【補正対象書類名】明細書
【補正対象項目名】０００８
【補正方法】変更
【補正の内容】
【０００８】
実施形態に係る基板処理装置は、
基板を水平状態で支持するテーブルと、
このテーブルを水平面内で回転させる回転機構と、
回転している前記基板の表面に処理液を供給する処理液供給部と、
前記処理液が供給され回転している前記基板の表面に揮発性溶媒を供給する溶媒供給部と、
前記揮発性溶媒が供給され回転している前記基板の表面に気層を生じさせて前記揮発性溶媒を液玉化させるように前記基板を加熱する加熱部と、
制御部とを有し、
前記制御部は、前記処理液供給部による前記基板への前記処理液の供給が終了する前から、前記溶媒供給部による前記基板への前記揮発性溶媒の供給が開始されるように前記溶媒供給部を制御することを特徴とする。
【手続補正３】
【補正対象書類名】明細書
【補正対象項目名】０００９
【補正方法】変更
【補正の内容】
【０００９】
実施形態に係る基板処理方法は、
水平面内で回転している基板の表面に処理液を供給する工程と、
前記処理液が供給され回転している前記基板の表面に揮発性溶媒を供給する工程と、
前記揮発性溶媒が供給され回転している前記基板の表面に気層を生じさせて前記揮発性溶媒を液玉化させるように前記基板を加熱する工程と、
を有し、
前記揮発性溶媒を供給する工程では、前記処理液を供給する工程が終了する前から、前記記基板への前記揮発性溶媒の供給が開始されることを特徴とする。
【手続補正４】
【補正対象書類名】明細書
【補正対象項目名】００３９
【補正方法】変更
【補正の内容】
【００３９】
詳しくは、基板Ｗが照射部１０の照射によって瞬時に加熱されると、基板Ｗの表面上のパターンＰに接触している液体Ａ１が他の部分の液体Ａ１よりも早く気化を始める。これにより、基板Ｗの表面上のパターンＰの周囲には、液体Ａ１の気化（沸騰）によりガスの層、すなわち気層Ａ２が薄膜のように生成される。このため、隣り合うパターンＰの間の液体Ａ１は、気層Ａ２によって基板Ｗの表面に押し出されながら乾燥が進行することになる。
【手続補正書】
【提出日】平成27年12月25日(2015.12.25)
【手続補正１】
【補正対象書類名】特許請求の範囲
【補正対象項目名】全文
【補正方法】変更
【補正の内容】
【特許請求の範囲】
【請求項１】
絶縁性の物質により少なくとも受光面側のシリコン層を貫通する絶縁構造体を備え、
前記絶縁構造体は、前記シリコン層の受光面側である上部のトップ径が底部のボトム径よりも大きい順テーパ形状となっている
固体撮像装置。
【請求項２】
前記絶縁構造体は、電極パッド部の周囲に配置されたパッド周辺ガードリングである
請求項１に記載の固体撮像装置。
【請求項３】
前記絶縁構造体は、スクライブ領域の側部に配置されたチップ周辺ガードリングである
請求項１または２に記載の固体撮像装置。
【請求項４】
前記絶縁構造体は、反射防止膜に利用される材料、シリコン化合物、オンチップレンズに利用される共重合系の樹脂材料、または、エアギャップの少なくとも一つで形成されている
請求項１乃至３のいずれかに記載の固体撮像装置。
【請求項５】
少なくともフォトダイオードが形成されている第１の半導体基板と、少なくともロジック回路が形成されている第２の半導体基板とを貼り合わせて形成された積層型の固体撮像装置である
請求項１乃至４のいずれかに記載の固体撮像装置。
【請求項６】
前記絶縁構造体は、受光面側の前記第１の半導体基板を貫通し、前記第２の半導体基板の配線層に接続するまで掘り込まれている
請求項５に記載の固体撮像装置。
【請求項７】
前記絶縁構造体は、受光面側の前記第１の半導体基板を貫通し、前記第２の半導体基板のシリコン層に接続するまで掘り込まれている
請求項５に記載の固体撮像装置。
【請求項８】
２つの前記絶縁構造体を有し、
２つの前記接続構造体の間に充填された接続導体が、前記第１の半導体基板の配線層と前記第２の半導体基板の配線層のいずれとも接続されるシェアコンタクト構造を有する
請求項５に記載の固体撮像装置。
【請求項９】
支持基板に前記シリコン層が形成された半導体基板を貼り合わせた裏面照射型の固体撮像装置である
請求項１乃至８のいずれかに記載の固体撮像装置。
【請求項１０】
前記絶縁構造体は、前記半導体基板の前記シリコン層の下の複数の配線層のうちの最下層に接続するまで掘り込まれている
請求項９に記載の固体撮像装置。
【請求項１１】
前記絶縁構造体と接続されている配線層は、孤立されている
請求項１乃至１０のいずれかに記載の固体撮像装置。
【請求項１２】
第１の基板と、フォトダイオードが形成されているシリコン層を含む第２の基板を貼り合わせた後、
前記第２の基板の受光面側から、少なくとも前記シリコン層の深さまで縦方向に掘り込み、開口された部分に、絶縁性の物質を充填する
固体撮像装置の製造方法。
【請求項１３】
絶縁性の物質により少なくとも受光面側のシリコン層を貫通する絶縁構造体を備え、
前記絶縁構造体は、前記シリコン層の受光面側である上部のトップ径が底部のボトム径よりも大きい順テーパ形状となっている
固体撮像装置
を備える電子機器。
【手続補正２】
【補正対象書類名】明細書
【補正対象項目名】００７８
【補正方法】変更
【補正の内容】
【００７８】
図１０Cに示されるパッド周辺ガードリングPG−ｃは、図１０Bと同様にパッド周辺ガードリングPGの開口部７０の全体が絶縁材料で埋め込まれていない例であるが、開口部７０の上面が絶縁材料で塞がれて、開口部７０の内部がエアで充填されている例を示している。
【手続補正３】
【補正対象書類名】明細書
【補正対象項目名】０１０１
【補正方法】変更
【補正の内容】
【０１０１】
一方、図１２Cの右側の例は、ロジック基板３２のシリコン層５３を用いて電源を取り出すようにした例を示している。すなわち、ロジック基板３２のシリコン層５３に電源取り出し用の半導体領域８５を形成し、電極パッド部PADに接続した電源取り出し配線８６と接続することで、電極パッド部PADから電源が取り出されている。
【手続補正４】
【補正対象書類名】明細書
【補正対象項目名】０１６４
【補正方法】変更
【補正の内容】
【０１６４】
初めに、図２６Aに示されるように、第１の半導体基板である支持基板２４１と、第２の半導体基板であるシリコン基板２４３に形成された多層配線層２４２が貼り合わされた後、シリコン基板２４３が薄肉化される。シリコン基板２４３の画素領域PAには、フォトダイオードPDが画素単位で形成されているが、図２６Aに示される領域は、チップ周辺ガードリングCGが形成される周辺領域SAであるため、フォトダイオードPDは形成されていない。図２６Aの状態は、例えば、上述した図１７Cの状態に対応する。
【手続補正５】
【補正対象書類名】明細書
【補正対象項目名】０１７６
【補正方法】変更
【補正の内容】
【０１７６】
各画素３１０に形成されたフォトダイオードPDどうしの間には、ボーイング形状を有する画素間トレンチ部３１３が形成されている。
【手続補正６】
【補正対象書類名】図面
【補正対象項目名】図１７
【補正方法】変更
【補正の内容】
【図１７】
2015029047.tif 000001
【手続補正書】
【提出日】平成28年6月9日(2016.6.9)
【手続補正１】
【補正対象書類名】特許請求の範囲
【補正対象項目名】全文
【補正方法】変更
【補正の内容】
【特許請求の範囲】
【請求項１】
レーザダイオードを準備する工程と、
少なくとも蛍光体とバインダとを含む波長変換部材を準備する工程と、
前記バインダよりも低い融点を有する透光性部材を準備する工程と、
貫通孔が設けられた支持体を準備する工程と、
前記貫通孔内に、前記波長変換部材及び前記透光性部材を配置し、前記バインダの融点よりも低い温度となるように前記透光性部材及び前記波長変換部材を加熱することで、前記透光性部材を前記貫通孔の内壁及び前記波長変換部材に融着させ、前記貫通孔内に前記透光性部材と前記波長変換部材とを固定する工程と
を含むことを特徴とする、発光装置の製造方法。
【請求項２】
前記透光性部材と前記波長変換部材とを固定する工程において、前記レーザダイオードからの光が前記貫通孔に入射する側から、前記波長変換部材と前記透光性部材とを順に前記貫通孔内に配置する、請求項１に記載の発光装置の製造方法。
【請求項３】
前記支持体を準備する工程において、光の進行方向に拡がる貫通孔を有する支持体を用いる、請求項１または２に記載の発光装置の製造方法。
【請求項４】
前記バインダの融点と前記透光性部材の融点との差が５００℃〜２５００℃である前記バインダ及び前記透光性部材を用いる、請求項１〜３のいずれか１項に記載の発光装置の製造方法。
【請求項５】
前記波長変換部材を準備する工程において、融点が１０００℃〜３０００℃である前記バインダを用い、
前記透光性部材を準備する工程において、融点が２００℃〜１０００℃である前記透光性部材を用い、
前記透光性部材と前記波長変換部材とを固定する工程において、１０００℃よりも低い温度となるように加熱する、
請求項１〜４のいずれか１項に記載の発光装置の製造方法。
【請求項６】
前記波長変換部材を準備する工程において、前記バインダとして、酸化アルミニウム、二酸化ケイ素、酸化ジルコニウム、酸化バリウムおよび酸化チタンからなる群から選択される少なくとも１つを用いる、請求項１〜５のいずれか１項に記載の発光装置の製造方法。
【請求項７】
前記波長変換部材を準備する工程において、前記バインダとして、酸化アルミニウムを用いる、請求項６に記載の発光装置の製造方法。
【請求項８】
前記透光性部材を準備する工程において、ガラスを含む前記透光性部材を用いる、請求項１〜７のいずれか１項に記載の発光装置の製造方法。
【請求項９】
前記透光性部材を準備する工程において、前記ガラスとして、ソーダガラス、ホウ珪酸ガラスおよび鉛ガラスからなる群から選択される少なくとも１つを用いる、請求項８に記載の発光装置の製造方法。
【請求項１０】
前記透光性部材を準備する工程において、前記ガラスとして、ホウ珪酸ガラスを用いる、請求項９に記載の発光装置の製造方法。
【請求項１１】
レーザダイオードと、
前記レーザダイオードから出射される光の波長を変換する波長変換部材と、
貫通孔を有し、前記貫通孔内において、前記光が前記波長変換部材の２つの面を通過するように前記波長変換部材を支持する支持体と
を含む発光装置であって、
前記波長変換部材は少なくとも蛍光体とバインダとを含み、
前記波長変換部材の前記２つの面の少なくとも一方に透光性部材が配置され、
前記バインダは前記透光性部材の融点よりも高い融点を有し、
前記透光性部材が融着により前記貫通孔の内壁及び前記波長変換部材の前記２つの面の少なくとも一方と結合していることを特徴とする、
発光装置。
【請求項１２】
前記バインダの融点と前記透光性部材の融点との差が５００℃〜２５００℃である、請求項１１に記載の発光装置。
【請求項１３】
前記透光性部材が、前記波長変換部材の２つの面のうち前記光が出射する側の面に配置されている、請求項１１または１２に記載の発光装置。
【請求項１４】
前記透光性部材が、前記波長変換部材の２つの面のうち前記光が入射する側の面に配置されている、請求項１１または１２に記載の発光装置。
【請求項１５】
前記透光性部材が、前記波長変換部材の前記２つの面の両方に配置されている、請求項１１または１２に記載の発光装置。
【請求項１６】
前記支持体は、前記光の進行方向に拡がる貫通孔を有する、請求項１１〜１５のいずれか１項に記載の発光装置。
【請求項１７】
前記バインダの融点が１０００℃〜３０００℃である、請求項１１〜１６のいずれか１項に記載の発光装置。
【請求項１８】
前記バインダが、酸化アルミニウム、二酸化ケイ素、酸化ジルコニウム、酸化バリウムおよび酸化チタンからなる群から選択される少なくとも１つである、請求項１１〜１７のいずれか１項に記載の発光装置。
【請求項１９】
前記バインダが酸化アルミニウムである、請求項１８に記載の発光装置。
【請求項２０】
前記透光性部材の融点が２００℃〜１０００℃である、請求項１１〜１９のいずれか１項に記載の発光装置。
【請求項２１】
前記透光性部材がガラスを含む、請求項１１〜２０のいずれか１項に記載の発光装置。
【請求項２２】
前記ガラスが、ソーダガラス、ホウ珪酸ガラスおよび鉛ガラスからなる群から選択される少なくとも１つである、請求項２１に記載の発光装置。
【請求項２３】
前記ガラスがホウ珪酸ガラスである、請求項２２に記載の発光装置。
【請求項２４】
前記波長変換部材が光散乱材を含む、請求項１１〜２３のいずれか１項に記載の発光装置。
【請求項２５】
前記透光性部材が光散乱材を含む、請求項１１〜２４のいずれか１項に記載の発光装置。
【手続補正書】
【提出日】平成27年11月19日(2015.11.19)
【手続補正１】
【補正対象書類名】特許請求の範囲
【補正対象項目名】全文
【補正方法】変更
【補正の内容】
【特許請求の範囲】
【請求項１】
大当り抽選に当選した場合には図柄変動ゲームにて大当り表示結果が導出され、その後に特別入賞口を開放する大当り遊技を付与する遊技機において、
始動条件の成立を契機として、保留中の図柄変動ゲームを示す保留情報を記憶手段に記憶させる記憶制御手段と、
前記保留情報を特定可能な情報をもとに、前記大当り抽選に当選することとなる保留情報が含まれているか否かを事前判定する事前判定手段と、
前記大当り遊技が付与されている場合であって、前記事前判定の判定結果が肯定であるときには、該事前判定の判定結果が肯定であることを報知する報知演出の実行を制御する報知演出制御手段と、
大当り遊技中の演出の実行を制御する大当り演出制御手段と、を備え、
前記大当り演出制御手段は、前記大当り抽選に当選したことによって特定条件が成立すると、前記特定条件が成立していないときとは異なる演出を実行させ、
前記報知演出制御手段は、前記大当り遊技中に実行される演出に応じて前記報知演出の態様を異ならせることを特徴とする遊技機。
【請求項２】
前記事前判定手段は、前記事前判定の判定結果が肯定の場合、前記保留情報を特定可能な情報をもとに前記大当り遊技を付与することになる大当りの種類をさらに事前判定し、
前記報知演出制御手段は、前記大当り遊技中に実行される演出と、前記事前判定手段が事前判定した大当りの種類とに応じて前記報知演出の態様を異ならせる請求項１に記載の遊技機。
【請求項３】
前記報知演出を実行させる条件を、前記事前判定手段が事前判定した大当りの種類が、前記大当り遊技の中で前記特別入賞口の合計開放時間が最も長い特別大当り遊技を付与し、該特別大当り遊技の終了後、遊技球の入球により前記始動条件が成立する始動手段への入球率を向上させる入球率向上状態を付与することになる大当りであることとした請求項２に記載の遊技機。
【手続補正２】
【補正対象書類名】明細書
【補正対象項目名】０００７
【補正方法】変更
【補正の内容】
【０００７】
上記課題を解決する遊技機は、大当り抽選に当選した場合には図柄変動ゲームにて大当り表示結果が導出され、その後に特別入賞口を開放する大当り遊技を付与する遊技機において、始動条件の成立を契機として、保留中の図柄変動ゲームを示す保留情報を記憶手段に記憶させる記憶制御手段と、前記保留情報を特定可能な情報をもとに、前記大当り抽選に当選することとなる保留情報が含まれているか否かを事前判定する事前判定手段と、前記大当り遊技が付与されている場合であって、前記事前判定の判定結果が肯定であるときには、該事前判定の判定結果が肯定であることを報知する報知演出の実行を制御する報知演出制御手段と、大当り遊技中の演出の実行を制御する大当り演出制御手段と、を備え、前記大当り演出制御手段は、前記大当り抽選に当選したことによって特定条件が成立すると、前記特定条件が成立していないときとは異なる演出を実行させ、前記報知演出制御手段は、前記大当り遊技中に実行される演出に応じて前記報知演出の態様を異ならせることを要旨とする。
【手続補正３】
【補正対象書類名】明細書
【補正対象項目名】０００８
【補正方法】変更
【補正の内容】
【０００８】
上記遊技機について、前記事前判定手段は、前記事前判定の判定結果が肯定の場合、前記保留情報を特定可能な情報をもとに前記大当り遊技を付与することになる大当りの種類をさらに事前判定し、前記報知演出制御手段は、前記大当り遊技中に実行される演出と、前記事前判定手段が事前判定した大当りの種類とに応じて前記報知演出の態様を異ならせてもよい。
【手続補正４】
【補正対象書類名】明細書
【補正対象項目名】０００９
【補正方法】変更
【補正の内容】
【０００９】
上記遊技機について、前記報知演出を実行させる条件を、前記事前判定手段が事前判定した大当りの種類が、前記大当り遊技の中で前記特別入賞口の合計開放時間が最も長い特別大当り遊技を付与し、該特別大当り遊技の終了後、遊技球の入球により前記始動条件が成立する始動手段への入球率を向上させる入球率向上状態を付与することになる大当りとしてもよい。
【手続補正５】
【補正対象書類名】明細書
【補正対象項目名】００１０
【補正方法】削除
【補正の内容】
【手続補正６】
【補正対象書類名】明細書
【補正対象項目名】０２２８
【補正方法】変更
【補正の内容】
【０２２８】
したがって、本実施形態では、以下に示す効果を得ることができる。
（１）大当りの付与に伴って大当り遊技が生起されている場合には、付与されている大当りの内容（大当り判定時の遊技状態が変短状態であるか否か）に応じて異なる演出態様により、保留中の図柄変動ゲームの中に大当り変動となる図柄変動ゲームが含まれていることを報知する報知演出が実行される。このため、報知演出の演出態様に変化を与え、遊技者の興趣を向上させることができる。
【手続補正７】
【補正対象書類名】明細書
【補正対象項目名】０２３６
【補正方法】変更
【補正の内容】
【０２３６】
（９）非変短状態中に１６Ｒ大当りＺａが付与された場合、及び変短状態中に１６Ｒ大当りＺａが付与された場合には、大当り遊技中に報知演出を実行させる。したがって、大当り遊技の終了後に変短状態が生起される１６Ｒ大当り遊技において報知演出を実行し、遊技者の興趣を向上できる。
（１０）１６Ｒ大当りＺａの付与に伴って１６Ｒ大当り遊技が生起されている場合には、付与されている大当り遊技演出（大当りの内容）に応じて異なる演出態様により報知演出が実行される。そして、大当り遊技演出（大当りの内容）は特定条件の成立を契機として変更されることから、報知演出の演出態様の変化にさらにバリエーションを持たせることができる。したがって、報知演出の演出態様に変化を与え、大当り遊技における遊技者の興趣を向上させることができる。
【手続補正書】
【提出日】平成28年7月29日(2016.7.29)
【手続補正１】
【補正対象書類名】特許請求の範囲
【補正対象項目名】全文
【補正方法】変更
【補正の内容】
【特許請求の範囲】
【請求項１】
被検眼に照射された測定光と、参照光との干渉を用いて前記被検眼のＡスキャンデータを取得するためのＯＣＴ光学系と、
前記被検眼に照射される前記測定光を被検眼上で走査させるための走査手段と、
前記被検眼の回転状態を検出するための回転検出手段と、
前記走査手段の駆動を制御することによって被検眼上でサークル状に測定光を回転させ、前記測定光の各回転位置での前記Ａスキャンデータを取得し、取得された各Ａスキャンデータを配列することによって前記被検眼のサークルＯＣＴ画像を生成可能な撮影制御手段と、
を備える眼科撮影装置であって、
前記撮影制御手段は、前記回転検出手段からの検出結果に基づいて、前記サークルＯＣＴ画像における回転ずれを補正することを特徴とする眼科撮影装置。
【請求項２】
前記撮影制御手段は、前記回転検出手段からの検出結果に基づいて、各Ａスキャンデータの配列位置を補正することを特徴とする請求項１の眼科撮影装置。
【請求項３】
前記撮影制御手段は、前記回転検出手段からの検出結果に基づいて、前記サークルＯＣＴ画像を形成するＡスキャンデータ群を画像処理によって分割し、前記分割側とは反対側にて結合処理することを特徴とする請求項２の眼科撮影装置。
【手続補正２】
【補正対象書類名】明細書
【補正対象項目名】発明の名称
【補正方法】変更
【補正の内容】
【発明の名称】眼科撮影装置
【手続補正３】
【補正対象書類名】明細書
【補正対象項目名】０００８
【補正方法】変更
【補正の内容】
【０００８】
本発明は、上記問題点を鑑み、サークル走査において適正なＯＣＴ画像を取得できる眼科撮影装置を提供することを技術課題とする。
【手続補正４】
【補正対象書類名】明細書
【補正対象項目名】００１０
【補正方法】変更
【補正の内容】
【００１０】
（１）  被検眼に照射された測定光と、参照光との干渉を用いて前記被検眼のＡスキャンデータを取得するためのＯＣＴ光学系と、
前記被検眼に照射される前記測定光を被検眼上で走査させるための走査手段と、
前記被検眼の回転状態を検出するための回転検出手段と、
前記走査手段の駆動を制御することによって被検眼上でサークル状に測定光を回転させ、前記測定光の各回転位置での前記Ａスキャンデータを取得し、取得された各Ａスキャンデータを配列することによって前記被検眼のサークルＯＣＴ画像を生成可能な撮影制御手段と、
を備える眼科撮影装置であって、
前記撮影制御手段は、前記回転検出手段からの検出結果に基づいて、前記サークルＯＣＴ画像における回転ずれを補正することを特徴とする。
【手続補正書】
【提出日】平成28年7月29日(2016.7.29)
【手続補正１】
【補正対象書類名】特許請求の範囲
【補正対象項目名】全文
【補正方法】変更
【補正の内容】
【特許請求の範囲】
【請求項１】
レーザ光源から出射されるパルスレーザ光を、患者眼における三次元上のターゲット位置に集光させる照射手段を有し、少なくとも前記患者眼の水晶体をパルスレーザ光によって処置することが可能な眼科用レーザ手術装置であって、
チップの超音波振動による前記水晶体内の物質の破砕、および、破砕された前記物質の吸引のうちの少なくともいずれかを、前記患者眼に挿入されるハンドピースを介して実行する眼科用挿入手術装置における動作条件を取得する挿入手術条件取得手段と、
少なくとも前記挿入手術条件取得手段によって取得された動作条件に基づいて、前記照射手段によって照射させるパルスレーザ光の照射条件を設定する照射条件設定手段と
を備えたことを特徴とする眼科用レーザ手術装置。
【請求項２】
チップの超音波振動による水晶体内の物質の破砕、および、破砕された前記物質の吸引のうちの少なくともいずれかを、患者眼に挿入されるハンドピースを介して実行することが可能な眼科用挿入手術装置であって、
レーザ光源から出射されるパルスレーザ光を、前記患者眼における三次元上のターゲット位置に集光させて、少なくとも前記患者眼の前記水晶体を処置する眼科用レーザ手術装置におけるパルスレーザ光の照射条件を取得する照射条件取得手段と、
少なくとも前記照射条件取得手段によって取得された照射条件に基づいて、前記破砕および前記吸引の少なくともいずれかの動作条件を設定する動作条件設定手段と
を備えたことを特徴とする眼科用挿入手術装置。
【請求項３】
請求項２に記載の眼科用挿入手術装置であって、
前記照射条件取得手段によって取得される照射条件は、前記物質においてパルスレーザ光を集光させる複数のターゲット位置の密度を定める条件を含み、
前記動作条件設定手段は、取得された照射条件によって示される前記密度が低い程、超音波振動の出力および吸引の出力の少なくともいずれかの初期値を高い値に設定することを特徴とする眼科用挿入手術装置。
【請求項４】
請求項２または３に記載の眼科用挿入手術装置であって、
前記動作条件設定手段は、前記水晶体における水晶体嚢のパルスレーザ光による切開処置を実行しつつ前記水晶体嚢の内側に位置する前記物質のパルスレーザ光による破砕処置を実行しない照射条件が前記照射条件取得手段によって取得された場合には、前記物質の破砕処置を実行する照射条件が取得された場合に比べて、超音波振動の出力の初期値を高い値に設定することを特徴とする眼科用挿入手術装置。
【請求項５】
レーザ光源から出射されるパルスレーザ光を、患者眼における三次元上のターゲット位置に集光させる照射手段を有し、少なくとも前記患者眼の水晶体をパルスレーザ光によって処置することが可能な眼科用レーザ手術装置と、
チップの超音波振動による前記水晶体内の物質の破砕、および、破砕された前記物質の吸引のうちの少なくともいずれかを、前記患者眼に挿入されるハンドピースを介して実行することが可能な眼科用挿入手術装置と、
前記眼科用レーザ手術装置におけるパルスレーザ光の照射条件、および、前記眼科用挿入手術装置の動作条件の少なくとも一方を設定する設定装置とを備え、
前記設定装置の制御部は、
前記照射条件と前記動作条件とが対応するように、前記照射条件および前記動作条件の少なくとも一方の初期値を設定することを特徴とする眼科手術システム。
【請求項６】
レーザ光源から出射されるパルスレーザ光を、患者眼における三次元上のターゲット位置に集光させる照射手段を有し、少なくとも前記患者眼の水晶体をパルスレーザ光によって処置することが可能な眼科用レーザ手術装置と、
チップの超音波振動による前記水晶体内の物質の破砕、および、破砕された前記物質の吸引のうちの少なくともいずれかを、前記患者眼に挿入されるハンドピースを介して実行することが可能な眼科用挿入手術装置と、
を備えた眼科手術システム内の１または複数のデバイスによって実行され、前記眼科用レーザ手術装置におけるパルスレーザ光の照射条件、および、前記眼科用挿入手術装置の動作条件の少なくとも一方を設定する眼科手術プログラムであって、
前記デバイスのプロセッサによって実行されることで、
前記照射条件と前記動作条件とが対応するように、前記照射条件および前記動作条件の少なくとも一方の初期値を設定する条件設定ステップを前記デバイスに実行させることを特徴とする眼科手術プログラム。
【手続補正書】
【提出日】平成28年7月26日(2016.7.26)
【手続補正１】
【補正対象書類名】特許請求の範囲
【補正対象項目名】全文
【補正方法】変更
【補正の内容】
【特許請求の範囲】
【請求項１】
モータを制御する制御回路と、前記制御回路の動作モードを選択するためのデジタルのセレクト信号を読込むためのタイミングを生成する読込タイミング生成手段と、前記タイミング生成手段で生成したタイミングに前記デジタルのセレクト信号を読込むセレクト信号読込手段と、前記セレクト信号読込手段で読込んだ信号に基づいて決定される動作モードを保持する動作モード保持手段とを備え、更に前記読込タイミング生成手段は、当該モータの制御装置の駆動指令が動作指令となるタイミングから、読込タイミングを生成することを含むモータの制御装置。
【請求項２】
前記読込タイミング生成手段は、規定回数のタイミングを生成し、当該モータの制御装置は前記規定回数のタイミングの各々で読込んだ前記セレクト信号の極性の過半数を判別する過半数極性判別手段を更に備え、
前記動作モード保持手段は、過半数の極性に応じた動作モード選択信号を保持し且つ前記動作モード選択信号を前記制御回路へ出力して更に動作モード決定信号を出力し、
更には前記動作モード決定信号の入力によって動作開始信号を出力する動作開始信号生成手段を具備し、前記動作開始信号は前記制御回路へ入力されること、を含む請求項１記載のモータの制御装置。
【請求項３】
モータを制御する制御回路と、前記制御回路の動作モードを選択するためのアナログのセレクト信号を読込むためのタイミングを生成する読込タイミング生成手段と、前記タイミング生成手段で生成したタイミングに前記アナログのセレクト信号をデジタル値として読込むセレクト信号読込手段と、前記セレクト信号読込手段で読込んだ信号に基づいて決定される動作モードを保持する動作モード保持手段とを備え、前記読込タイミング生成手段は、当該モータの制御装置の駆動指令が動作指令となるタイミングから、読込タイミングを生成することを含むモータの制御装置。
【請求項４】
前記読込みタイミング生成手段は、規定回数のタイミングを生成し、当該モータの制御装置は前記規定回数のタイミングの各々で読込んだ信号の平均値を演算する手段を更に備え、
前記動作モード保持手段は、前記セレクト信号の平均値に応じた動作モード選択信号を保持し且つ前記動作モード選択信号を前記制御回路へ出力して更に動作モード決定信号を出
力し、
更には前記動作モード決定信号の入力によって動作開始信号を出力する動作開始信号生成手段を具備し、前記動作開始信号は前記制御回路へ入力されること、を含む請求項３に記載のモータの制御装置。
【請求項５】
前記制御回路は、動作モードが決定した後に動作を開始することを含む請求項２又は請求項４のいずれかに記載のモータの制御装置。
【請求項６】
前記読込タイミング生成手段は、当該モータの制御装置のリセット解除から一定時間経過し、かつ、当該モータの制御装置の動作開始状態であるタイミングから、あらかじめ設定した間隔で規定回数の読込タイミングを生成することを含む請求項５に記載のモータの制御装置。
【手続補正２】
【補正対象書類名】明細書
【補正対象項目名】００１４
【補正方法】変更
【補正の内容】
【００１４】
第１の発明は、モータを制御する制御回路と、前記制御回路の動作モードを選択するためのデジタルのセレクト信号を読込むためのタイミングを生成する読込タイミング生成手段と、前記タイミング生成手段で生成したタイミングに前記デジタルのセレクト信号を読込むセレクト信号読込手段と、前記セレクト信号読込手段で読込んだ信号に基づいて決定される動作モードを保持する動作モード保持手段とを備え、更に前記読込タイミング生成手段は、当該モータの制御装置の駆動指令が動作指令となるタイミングから、読込タイミングを生成することを含むモータの制御装置である。
【手続補正３】
【補正対象書類名】明細書
【補正対象項目名】００１５
【補正方法】変更
【補正の内容】
【００１５】
第２の発明は、第１の発明において、前記読込タイミング生成手段は、規定回数のタイミングを生成し、当該モータの制御装置は前記規定回数のタイミングの各々で読込んだ前記セレクト信号の極性の過半数を判別する過半数極性判別手段を更に備え、
前記動作モード保持手段は、過半数の極性に応じた動作モード選択信号を保持し且つ前記動作モード選択信号を前記制御回路へ出力して更に動作モード決定信号を出力し、
更には前記動作モード決定信号の入力によって動作開始信号を出力する動作開始信号生成手段を具備し、前記動作開始信号は前記制御回路へ入力されること、を含むモータの制御装置である。
【手続補正４】
【補正対象書類名】明細書
【補正対象項目名】００１６
【補正方法】変更
【補正の内容】
【００１６】
第３の発明は、モータを制御する制御回路と、前記制御回路の動作モードを選択するためのアナログのセレクト信号を読込むためのタイミングを生成する読込タイミング生成手段と、前記タイミング生成手段で生成したタイミングに前記アナログのセレクト信号をデジタル値として読込むセレクト信号読込手段と、前記セレクト信号読込手段で読込んだ信号に基づいて決定される動作モードを保持する動作モード保持手段とを備え、前記読込タ
イミング生成手段は、当該モータの制御装置の駆動指令が動作指令となるタイミングから、読込タイミングを生成することを含むモータの制御装置である。
【手続補正５】
【補正対象書類名】明細書
【補正対象項目名】００１７
【補正方法】変更
【補正の内容】
【００１７】
第４の発明は、第３の発明において、前記読込みタイミング生成手段は、規定回数のタイミングを生成し、当該モータの制御装置は前記規定回数のタイミングの各々で読込んだ信号の平均値を演算する手段を更に備え、
前記動作モード保持手段は、前記セレクト信号の平均値に応じた動作モード選択信号を保持し且つ前記動作モード選択信号を前記制御回路へ出力して更に動作モード決定信号を出力し、
更には前記動作モード決定信号の入力によって動作開始信号を出力する動作開始信号生成手段を具備し、前記動作開始信号は前記制御回路へ入力されること、を含むモータ制御装置である。
【手続補正６】
【補正対象書類名】明細書
【補正対象項目名】００１８
【補正方法】変更
【補正の内容】
【００１８】
第５の発明は、第２の発明又は第４の発明において、制御回路は、動作モードが決定した後に動作を開始することを含むモータの制御装置である。
【手続補正７】
【補正対象書類名】明細書
【補正対象項目名】００１９
【補正方法】変更
【補正の内容】
【００１９】
第６の発明は、第５の発明において、読込タイミング生成手段は、当該モータの制御装置のリセット解除から一定時間経過し、かつ、当該モータの制御装置の動作開始状態であるタイミングから、あらかじめ設定した間隔で規定回数の読込タイミングを生成することを含むモータの制御装置である。
【手続補正書】
【提出日】平成28年7月21日(2016.7.21)
【手続補正１】
【補正対象書類名】特許請求の範囲
【補正対象項目名】全文
【補正方法】変更
【補正の内容】
【特許請求の範囲】
【請求項１】
被検眼の複数の偏光断層画像における偏光解消領域を抽出する抽出手段と、
前記抽出された偏光解消領域に基づいて、前記被検眼の動きを検出する検出手段と、
前記検出された動きに基づいて、前記複数の偏光断層画像に対応する複数の断層輝度画像の位置合わせを行う手段と、
を有することを特徴とする画像処理装置。
【請求項２】
前記複数の偏光断層画像は、複数のＤＯＰＵ画像であり、
前記抽出手段は、前記複数のＤＯＰＵ画像におけるＲＰＥを前記偏光解消領域として抽出することを特徴とする請求項１に記載の画像処理装置。
【請求項３】
前記検出手段は、前記複数の偏光断層画像における平行移動、伸縮、回転のうち少なくとも一つを前記動きとして検出することを特徴とする請求項１または２に記載の画像処理装置。
【請求項４】
前記複数の偏光断層画像は、測定光を照射した前記被検眼からの戻り光と、該測定光に対応する参照光とを合波した光を分割して得た互いに異なる偏光の光に基づいて、生成された断層画像であることを特徴とする請求項１乃至３のいずれか１項に記載の画像処理装置。
【請求項５】
前記互いに異なる偏光の光を検出する検出手段を有する眼科撮影装置と通信可能に接続され、
前記複数の偏光断層画像は、前記検出された互いに異なる偏光の光に基づいて生成されることを特徴とする請求項４に記載の画像処理装置。
【請求項６】
被検眼の複数のリターデーション画像におけるＲＮＦＬを抽出する抽出手段と、
前記抽出されたＲＮＦＬに基づいて、前記被検眼の動きを検出する検出手段と、
前記検出された動きに基づいて、前記複数のリターデーション画像に対応する複数の断層輝度画像の位置合わせを行う手段と、
を有することを特徴とする画像処理装置。
【請求項７】
前記位置合わせが行われた複数の断層輝度画像を重ね合わせる手段と、
前記重ね合わせて得た画像を表示手段に表示させる表示制御手段と、
を更に有することを特徴とする請求項１乃至６のいずれか１項に記載の画像処理装置。
【請求項８】
被検眼の複数の偏光断層画像における偏光解消領域を抽出する工程と、
前記抽出された偏光解消領域に基づいて、前記被検眼の動きを検出する工程と、
前記検出された動きに基づいて、前記複数の偏光断層画像に対応する複数の断層輝度画像の位置合わせを行う工程と、
を有することを特徴とする画像処理方法。
【請求項９】
前記複数の偏光断層画像は、複数のＤＯＰＵ画像であり、
前記抽出する工程において、前記複数のＤＯＰＵ画像からＲＰＥを前記偏光解消領域として抽出することを特徴とする請求項８に記載の画像処理方法。
【請求項１０】
被検眼の複数のリターデーション画像におけるＲＮＦＬを抽出する工程と、
前記抽出されたＲＮＦＬに基づいて、前記被検眼の動きを検出する工程と、
前記検出された動きに基づいて、前記複数のリターデーション画像に対応する複数の断層輝度画像の位置合わせを行う工程と、
を有することを特徴とする画像処理方法。
【請求項１１】
前記位置合わせが行われた複数の断層輝度画像を重ね合わせる工程と、
前記重ね合わせて得た画像を表示手段に表示させる工程と、
を更に有することを特徴とする請求項８乃至１０のいずれか１項に記載の画像処理方法。
【請求項１２】
請求項８乃至１１のいずれか１項に記載の画像処理方法の各工程をコンピュータに実行させることを特徴とするプログラム。
【手続補正２】
【補正対象書類名】明細書
【補正対象項目名】００１０
【補正方法】変更
【補正の内容】
【００１０】
本発明に係る画像処理装置の一つは、
被検眼の複数の偏光断層画像における偏光解消領域を抽出する抽出手段と、
前記抽出された偏光解消領域に基づいて、前記被検眼の動きを検出する検出手段と、
前記検出された動きに基づいて、前記複数の偏光断層画像に対応する複数の断層輝度画像の位置合わせを行う手段と、を有する。
【手続補正３】
【補正対象書類名】明細書
【補正対象項目名】００１１
【補正方法】変更
【補正の内容】
【００１１】
本発明に係る画像処理方法の一つは、
被検眼の複数の偏光断層画像における偏光解消領域を抽出する工程と、
前記抽出された偏光解消領域に基づいて、前記被検眼の動きを検出する工程と、
前記検出された動きに基づいて、前記複数の偏光断層画像に対応する複数の断層輝度画像の位置合わせを行う工程と、を有する。
【手続補正書】
【提出日】平成28年6月22日(2016.6.22)
【手続補正１】
【補正対象書類名】特許請求の範囲
【補正対象項目名】全文
【補正方法】変更
【補正の内容】
【特許請求の範囲】
【請求項１】
被検眼の屈折誤差を矯正する矯正光学系を備え、前記矯正光学系によって被検眼の屈折誤差を矯正して被検眼の加入度数を自覚的に測定可能な検眼装置であって、
前記被検眼の加入度数が自覚的に測定される場合に、被検眼に付加される加入度数の初期値を、他覚屈折検査によって測定される被検眼の調節力に基づいて設定する設定手段を備えていることを特徴とする検眼装置。
【請求項２】
被検眼に視標を呈示する視標呈示光学系と、
被検眼の眼底に向けて測定光を投光する投光光学系と、
前記投光光学系から投光された測定光の眼底反射光を受光素子によって受光する受光光学系と、
前記受光素子の受光結果に基づいて被検眼の眼屈折力を他覚的に測定する眼屈折力測定手段と、
被検眼に対する前記視標の呈示距離を変更させる呈示距離変更手段と、
前記視標の呈示距離が前記呈示距離変更手段によって変更されつつ前記眼屈折力測定手段によって各呈示距離での他覚的な眼屈折力を測定する測定動作を経て、遠用の眼屈折力と，被検眼の調節力が限界まで発揮されているときの眼屈折力とを取得し、更に、それら２種類の眼屈折力の差分として被検眼の調節力を取得する調節力取得手段と、を備えていることを特徴とする請求項１記載の検眼装置。
【請求項３】
前記設定手段は、前記左右の被検眼にそれぞれ付加する加入度数の初期値を、前記左右の被検眼の調節力のうち弱い方に基づいて設定することを特徴とする請求項１又は２記載の検眼装置。
【手続補正２】
【補正対象書類名】明細書
【補正対象項目名】０００６
【補正方法】変更
【補正の内容】
【０００６】
上記課題を解決するために、本開示の１態様に係る検眼装置は、被検眼の屈折誤差を矯正する矯正光学系を備え、前記矯正光学系によって被検眼の屈折誤差を矯正して被検眼の加入度数を自覚的に測定可能な検眼装置であって、前記被検眼の加入度数が自覚的に測定される場合に、被検眼に付加される加入度数の初期値を、他覚屈折検査によって測定される被検眼の調節力に基づいて設定する設定手段を備えている。
【手続補正書】
【提出日】平成28年7月21日(2016.7.21)
【手続補正１】
【補正対象書類名】特許請求の範囲
【補正対象項目名】請求項４
【補正方法】変更
【補正の内容】
【請求項４】
前記油脂性食品はチョコレートであることを特徴とする、請求項１〜３のいずれか一項に記載の菓子。
【手続補正２】
【補正対象書類名】明細書
【補正対象項目名】０００９
【補正方法】変更
【補正の内容】
【０００９】
請求項３記載の発明は、前記菓子は、一口サイズの大きさであることを特徴とする、請求項１または２に記載の菓子である。
請求項４記載の発明は、前記油脂性食品はチョコレートであることを特徴とする、請求項１〜３のいずれか一項に記載の菓子である。
請求項５記載の発明は、α化加工でん粉を使用してシュー生地を作る工程と、作ったシュー生地を菓子１個分の大きさにして焼成する工程と、焼成したシュー生地の表面から少なくとも１つの穴を中心部まで開ける工程と、穴を開けたシュー生地に油脂性食品を含浸させる工程と、を含むことを特徴とする、菓子の製造方法である。
【手続補正書】
【提出日】平成28年8月1日(2016.8.1)
【手続補正１】
【補正対象書類名】特許請求の範囲
【補正対象項目名】全文
【補正方法】変更
【補正の内容】
【特許請求の範囲】
【請求項１】
内部に生体試料が配置され、外部から前記生体試料の光学観察が可能に構成された試料保持手段と、
前記試料保持手段を照明する光源と、
前記試料保持手段を介して前記光源と対向して配置され、前記光源で照明された前記生体試料を３倍以下の倍率で撮像する撮像手段と、を備える、
撮像装置。
【請求項２】
複数の前記撮像手段が第１の面上に配置され、
複数の前記光源が、前記複数の撮像手段のそれぞれに対応するように配置される、
請求項１に記載の撮像装置。
【請求項３】
１又は２以上の試料保持手段は、前記生体試料が流動するフローセルとして構成されるマイクロ流路が形成され、
前記マイクロ流路の複数箇所が観察できる位置に、前記複数の前記撮像手段の全部又は一部が配置される、
請求項２に記載の撮像装置。
【請求項４】
前記試料保持手段内の前記生体試料と前記撮像手段との間の距離は１ｍｍ以下であり、
１つの前記撮像手段に対して前記光源である第１の光源及び第２の光源が設けられ、
前記第１の光源で照明した場合に前記１つの撮像手段が取得する像が、前記第２の光源で照明した場合に前記１つの撮像手段が取得する像に対して、前記１つの撮像手段の画素の略半分だけ位置が異なる、
請求項１乃至３のいずれか一項に記載の撮像装置。
【請求項５】
前記試料保持手段と前記撮像手段との間に配置され、前記生体試料の像を前記撮像手段に結像させる光学系を更に備える、
請求項１乃至４のいずれか一項に記載の撮像装置。
【請求項６】
前記撮像手段は、ＣＣＤ又はＣＭＯＳイメージセンサである、
請求項１乃至５のいずれか一項に記載の撮像装置。
【手続補正書】
【提出日】平成28年7月15日(2016.7.15)
【手続補正１】
【補正対象書類名】特許請求の範囲
【補正対象項目名】全文
【補正方法】変更
【補正の内容】
【特許請求の範囲】
【請求項１】
コンピューターに、
ゲームフィールド上の任意の位置を指定する操作入力をプレイヤーから受け付けた場合に、当該操作入力に基づいて当該ゲームフィールドに対応して予め設定される複数の目的地の中から目的地を決定する目的地決定処理と、
前記目的地決定処理によって決定された目的地に向かって前記ゲームフィールド上のキャラクターを自動的に移動させる自動移動処理と、
前記目的地決定処理によって前記自動移動処理における前記目的地が決定された場合に、当該目的地の情報をプレイヤーが認識可能に通知する目的地情報通知処理と、
を実行させるゲームプログラム。
【請求項２】
請求項１に記載のゲームプログラムであって、
前記自動移動処理による前記キャラクターの自動移動中に、前記ゲームフィールド上の任意の位置を指定する操作入力をプレイヤーから受け付けた場合には、
前記目的地決定処理は、前記複数の目的地の中から新たな目的地を決定し、
前記自動移動処理は、前記新たな目的地に向かって前記キャラクターを自動的に移動させ、
前記目的地情報通知処理は、前記新たな目的地の情報をプレイヤーが認識可能に通知する、
ことを特徴とするゲームプログラム。
【請求項３】
請求項１又は２に記載のゲームプログラムであって、
前記コンピューターに、
前記ゲームフィールド上のキャラクターに対する操作入力をプレイヤーから受け付けた場合に、当該操作入力に基づいて移動方向と特定し、当該キャラクターを移動方向に移動させるマニュアル移動処理と、
を実行させることを特徴とするゲームプログラム。
【請求項４】
請求項１乃至３のいずれかに記載のゲームプログラムであって、
前記自動移動処理は、
前記目的地に前記キャラクターが到着したこと、又は、前記キャラクターの自動移動を停止させるための操作入力を前記プレイヤーから受け付けたことを条件として、前記キャラクターの自動移動を解除する、
ことを特徴とするゲームプログラム。
【請求項５】
ゲームフィールド上の任意の位置を指定する操作入力をプレイヤーから受け付けた場合に、当該操作入力に基づいて当該ゲームフィールドに対応して予め設定される複数の目的地の中から目的地を決定する目的地決定処理部と、
前記目的地決定処理によって決定された目的地に向かって前記ゲームフィールド上のキャラクターを自動的に移動させる自動移動処理部と、
前記目的地決定処理によって前記自動移動処理における前記目的地が決定された場合に、当該目的地の情報をプレイヤーが認識可能に通知する目的地情報通知処理部と、
を備えたことを特徴とする情報処理装置。
【手続補正書】
【提出日】平成28年7月27日(2016.7.27)
【手続補正１】
【補正対象書類名】特許請求の範囲
【補正対象項目名】全文
【補正方法】変更
【補正の内容】
【特許請求の範囲】
【請求項１】
長目方向と短目方向とを有する複数の菱形状の開口部が形成された金属製の網目状箔が円筒形状に巻回されたメタル担体と、前記メタル担体に担持された触媒と、前記メタル担体を収装するケースとを備え、
前記メタル担体は、波板の箔と平板の箔とが積層され、前記波板の箔及び前記平板の箔がエキスパンドメタルで構成された前記網目状箔であり、前記網目状箔の前記開口部の前記長目方向が前記円筒形状の軸方向に配置され、
前記ケースと前記メタル担体との間には前記メタル担体を前記ケースに保持する保持マットが配設されることを特徴とする触媒コンバータ。
【請求項２】
請求項１に記載の触媒コンバータであって、
前記網目状箔には、複数のストランド部と前記ストランド部同士が連結するボンド部により囲まれた前記開口部が形成され、
前記ストランド部は、前記長目方向では鈍角の前記ボンド部にて連結し前記短目方向では鋭角の前記ボンド部にて連結することを特徴とする触媒コンバータ。
【請求項３】
請求項１または請求項２に記載の触媒コンバータであって、
前記ケース内には、積層した前記波板の箔及び前記平板の箔の一辺を始点として巻回した前記円筒形状のメタル担体及び前記保持マットのみが収装されることを特徴とする触媒コンバータ。
【請求項４】
請求項１から請求項３のいずれか１項に記載の触媒コンバータであって、
前記触媒は、少なくとも白金、パラジウムまたはロジウムであることを特徴とする触媒コンバータ。
【手続補正２】
【補正対象書類名】明細書
【補正対象項目名】０００８
【補正方法】変更
【補正の内容】
【０００８】
本発明のある実施態様によると、長目方向と短目方向とを有する複数の菱形状の開口部が形成された金属製の網目状箔が円筒形状に巻回されたメタル担体と、前記メタル担体に担持された触媒と、前記メタル担体を収装するケースとを備え、前記メタル担体は、波板の箔と平板の箔とが積層され、前記波板の箔及び前記平板の箔がエキスパンドメタルで構成された前記網目状箔であり、前記網目状箔の前記開口部の前記長目方向が前記円筒形状の軸方向に配置され、前記ケースと前記メタル担体との間には前記メタル担体を前記ケースに保持する保持マットが配設されることを特徴とする。
【手続補正書】
【提出日】平成28年5月18日(2016.5.18)
【手続補正１】
【補正対象書類名】特許請求の範囲
【補正対象項目名】全文
【補正方法】変更
【補正の内容】
【特許請求の範囲】
【請求項１】
光照射又は加熱により架橋、硬化する硬化型接着剤成分を含有する接着剤組成物を介してウエハを支持板に固定する支持板固定工程と、
前記接着剤組成物に光を照射又は加熱して硬化型接着剤成分を架橋、硬化する接着剤硬化工程と、
前記支持板に固定されたウエハの表面に薬液処理、加熱処理又は発熱を伴う処理を施すウエハ処理工程と、
前記処理後のウエハから支持板を剥離する支持板剥離工程とを有し、
接着剤硬化工程後の接着剤組成物について、動的粘弾性測定のせん断モードで−５０℃から３００℃まで連続昇温の条件で測定した２５℃での貯蔵せん断弾性率が２．０×１０５〜１０８Ｐａである
ことを特徴とするウエハの処理方法。
【請求項２】
接着剤組成物が刺激により気体を発生する気体発生剤を含有するものであって、支持板剥離工程において処理後のウエハに刺激を与えて前記気体発生剤から気体を発生させることによりウエハから支持板を剥離することを特徴とする請求項１記載のウエハの処理方法。
【手続補正書】
【提出日】平成28年9月1日(2016.9.1)
【手続補正１】
【補正対象書類名】特許請求の範囲
【補正対象項目名】全文
【補正方法】変更
【補正の内容】
【特許請求の範囲】
【請求項１】
ネットワークのノード装置上でアラーム情報を分散処理するアラーム処理システムにおいて、
ネットワークトポロジおよび各ノード装置のIDを管理する構成管理手段と、
ノード装置により検知されたアラーム情報を蓄積するアラームDBと、
前記ネットワークトポロジに基づいて隣接装置を識別する手段と、
相互に隣接するノード装置の一方が他方のノード装置のアラームDBを参照し、前記アラーム情報と同一のアラーム情報が登録されていれば自装置のアラームDBから前記アラーム情報を削除する手段と、
アラームDBに蓄積されているアラーム情報を管理システムへ送信する手段とを具備したことを特徴とするアラーム処理システム。
【請求項２】
前記一方のノード装置は、前記他方のノード装置のアラームDBに前記アラーム情報と同一のアラーム情報が登録されていると当該アラーム情報に隣接確認フラグをセットし、前記他方のノード装置は、当該アラームを前記隣接確認フラグと共に前記管理システムへ送信することを特徴とする請求項１に記載のアラーム処理システム。
【請求項３】
前記一方のノード装置は、前記他方のノード装置のアラームDBに前記アラーム情報と同一のアラーム情報が登録されていないと当該アラーム情報にサイレントフラグをセットし、当該アラームを前記サイレントフラグと共に前記管理システムへ送信することを特徴とする請求項１に記載のアラーム処理システム。
【請求項４】
前記他方のノード装置は、アラームDBに登録されているアラーム情報に隣接確認フラグがセットされていないとサイレントフラグをセットし、当該アラームを前記サイレントフラグと共に前記管理システムへ送信することを特徴とする請求項１ないし３のいずれかに記載のアラーム処理システム。
【請求項５】
前記相互に隣接するノード装置は、自装置に固有のIDと隣接装置に固有のIDとを比較して前記ノード装置の一方を決定することを特徴とする請求項１ないし４のいずれかに記載のアラーム処理システム。
【請求項６】
前記管理システムへ送信されるアラーム情報は、SNMPトラップに記述されて送信されることを特徴とする請求項１ないし５のいずれかに記載のアラーム処理システム。